(57)【要約】      （修正有）【課題】各焦点となる各次数に所望の高い効率を分配でき、またその回折位相構造の最適化を簡便かつ容易に行なうことを可能とする。【解決手段】回折パターンの回折位相構造が、下記式により表される構造を有することを特徴とする回折型多焦点レンズ。2010134282.tif 000036但し、ξは、回折パターンの１周期におけるレンズの半径方向の位置を示す値であり、φ（ξ）は、基準面を通過した光の位相に対して、ξの位置を通過する光の位相のずれ量の値（ラジアン）を示す。【選択図】なし【特許請求の範囲】
【請求項１】
レンズ表面に、回折作用をなす環状の回折パターンが同心的に繰り返し設けられてなる回折型多焦点レンズにおいて、
前記回折パターンの回折位相構造が、下記式により表される構造を有することを特徴とする回折型多焦点レンズ。
【数１】
2010134282.tif 000035
但し、前記（１）式において、各符号は以下の通りである。
ξ；回折パターンの１周期におけるレンズの半径方向の位置を示す値であり、０から１までの値を有する。
ｗ；φ（ξ）の式の形態が変わる位置を規定する値である。
φ（ξ）；基準面を通過した光の位相に対して、ξの位置を通過する光の位相のずれ量の値（ラジアン）を示す。
ｐ１；０≦ξ＜ｗ、並びに、１−ｗ≦ξ≦１のときに、直線φ（ξ）の勾配を規定する値である。
ｐ２；ｗ≦ξ＜１−ｗのときに、直線φ（ξ）の勾配を規定する値である。
ｑ；ｗ≦ξ＜１−ｗのときに、直線φ（ξ）の基準面に対する平行移動量を規定する値である。
【請求項２】
前記（１）式において、前記ｑが０＜|ｑ|≦１であることを特徴とする請求項１に記載の回折型多焦点レンズ。
【請求項３】
レンズ表面に、回折作用をなす環状の回折パターンが同心的に繰り返し設けられてなる回折型多焦点レンズにおいて、
前記回折パターンの回折位相構造が、請求項１〜２における回折位相構造を表す曲線を、曲線近似、フィルタリング又は畳み込み積分によりスムージングを行い、最適化して求めた曲線により表される構造を有することを特徴とする回折型多焦点レンズ。
【請求項４】
前記回折型多焦点レンズがコンタクトレンズ、眼内レンズ等の眼用レンズであることを特徴とする請求項１〜３のいずれかに記載の回折型多焦点レンズ。
【発明の詳細な説明】
【技術分野】
【０００１】
本発明は、回折型多焦点レンズに関し、特に、新規な位相構造を採用することにより各回折次数の回折効率を最適なものにすることを可能にしたものに関するものである。
【背景技術】
【０００２】
複数の焦点を持つ回折型多焦点レンズは、一般の光学素子として用いられることは勿論、眼科用の遠用及び近用視力補正用の眼用レンズ（眼鏡、コンタクトレンズ、眼内レンズ等の移殖用レンズ）等のさまざまの分野にも応用されている。
【０００３】
回折型多焦点レンズの光学的構造は典型的な回折構造であるノコギリ歯状のｂｌａｚｅｄ ｇｒｏｏｖｅ型や矩形波型のｂｉｎａｒｙ型の回折構造のものが知られている。これ
らの回折型多焦点レンズは屈折型多焦点レンズに比べ、軽量であり、また、厚みを薄くできる利点があるが、波長依存性が高いので、分散性が高くなり、グレアなどの発生があるなどのデメリットもある。
【０００４】
これらの回折型多焦点レンズは、その焦点の効率を制御するため、さまざまな方法が取られている。例えば、特許文献１、２には、位相ゾーンプレートにおけるファセット（ステップ）の深さとその回折構造の周期関数のプロフィール（形状）の変更により所望の次数での回折効率を得る技術が開示されている。
【０００５】
また、特許文献３には、矩形及び三角形型の回折表面の地形学的光学高さ関数である周期関数による位相構造で各次数の効率を制御し、各次数における効率をあらかじめ設定した目標値に対して近接するようにスーパーガウシアン関数等の誤差最適化関数を用いる手法が開示されている。さらに、特許文献４には、多次数回折（ｍｕｌｔｉｏｒｄｅｒ ｄ
ｉｆｆｒａｃｔｉｖｅ: ＭＯＤ）構造、波面分割回折構造（ｗａｖｅｆｒｏｎｔ ｓｐｌ
ｉｔｔｉｎｇ ｄｉｆｆｒａｃｔｉｖｅ ｓｔｒｕｃｔｕｒｅ: ＷＳＤ）により最適化する技術が開示されている。
【０００６】
【特許文献１】特開平０２−０５５３１４号公報
【特許文献２】米国特許第５，０１７，０００号明細書
【特許文献３】特開平０７−１９８９０９号公報
【特許文献４】特表２００８−５１１０１９号公報
【発明の開示】
【発明が解決しようとする課題】
【０００７】
しかし、このような従来の回折型多焦点レンズでは、その位相構造を変更し、各次数の効率を所望の値に効率良く分配すること、及びその位相構造を規定することは難しい。また、設計上の位相構造に、例えば、特許文献４のように付加的なステップを設けるような非常に細かな構造を取る場合もあり、その加工も非常に難しい。
【０００８】
また、実際のレンズに加工するために位相構造を最適化する場合、誤差最適化関数によっては誤差による揺らぎ、振れの問題により所望の効率が得られない場合が考えられる。そのような場合には、複雑な関数や非常に多数の変数が必要となる。例えば、特許文献４のフーリエ級数であるハーモニック関数でハーモニック項が９個の場合は、１８個の変数を最適化しなければならない。さらには、特許文献３の非対称である効率のスーパーガウシアン分布の場合は、Ｈ、Ｗ１、ｍ１、Ｗ２、ｍ２の５つの変数を最適化する必要があるなど、その最適化処理の計算は複雑で煩雑なものであった。
【０００９】
また、多焦点レンズにおいて、−１次、０次、＋１次の次数を持つ３焦点のレンズを得る為には、回折型構造と屈折型構造を組み合わせた混合型の多焦点レンズが検討され、ブレーズ構造と位相シフトを持つバイナリー構造の回折構造を持つ構造、また０次、＋１次の次数のブレーズ構造の回折多焦点レンズに調和回折次数を追加することにより３焦点のレンズを得ることも検討されている、しかし特許文献３，４に記載の技術と同様に変数の多さなどからその制御、最適化は複雑で煩雑な作業を要する。
【００１０】
本発明は上述の事情を背景としてなされたものであり、回折型多焦点レンズにおいて、各焦点となる各次数に所望の高い効率を分配でき、またその回折位相構造の最適化を簡便かつ容易に行なうことを可能とする回折型多焦点レンズを提供することを目的とする。
【課題を解決するための手段】
【００１１】
上述の課題を解決するための手段は、以下の通りである。
第１の手段
レンズ表面に、回折作用をなす環状の回折パターンが同心的に繰り返し設けられてなる回折型多焦点レンズにおいて、
前記回折パターンの回折位相構造が、下記式により表される構造を有することを特徴とする回折型多焦点レンズ。
【数１】
2010134282.tif 000002
但し、前記（１）式において、各符号は以下の通りである。
ξ；回折パターンの１周期におけるレンズの半径方向の位置を示す値であり、０から１までの値を有する。
ｗ；φ（ξ）の式の形態が変わる位置を規定する値である。
φ（ξ）；基準面を通過した光の位相に対して、ξの位置を通過する光の位相のずれ量の値（ラジアン）を示す。
ｐ１；０≦ξ＜ｗ、並びに、１−ｗ≦ξ≦１のときに、直線φ（ξ）の勾配を規定する値である。
ｐ２；ｗ≦ξ＜１−ｗのときに、直線φ（ξ）の勾配を規定する値である。
ｑ；ｗ≦ξ＜１−ｗのときに、直線φ（ξ）の基準面に対する平行移動量を規定する値である。
第２の手段
前記（１）式において、前記ｑが０＜|ｑ|≦１であることを特徴とする請求項１に記載の回折型多焦点レンズ。
第３の手段
レンズ表面に、回折作用をなす環状の回折パターンが同心的に繰り返し設けられてなる回折型多焦点レンズにおいて、
前記回折パターンの回折位相構造が、第１〜第２のいずれかの手段にかかる回折位相構造を表す曲線を、曲線近似、フィルタリング又は畳み込み積分によりスムージングを行い、最適化して求めた曲線により表される構造を有することを特徴とする回折型多焦点レンズ。
第４の手段
前記回折型多焦点レンズがコンタクトレンズ、眼内レンズ等の眼用レンズであることを特徴とする第１〜第３のいずれかの手段にかかる回折型多焦点レンズ。
【発明の効果】
【００１２】
第１の手段において、回折位相構造を規定する式（１）の傾きｐ１、ｐ２、ｑ及びｗの大きさを変化させることにより各次数の効率を制御することができる。
また、第２の手段によれば、上記式（１）の高さまたは深さｑが０＜|ｑ|≦１の範囲に設定することにより、焦点を−１次、０次と＋１次の３焦点にすることができ、これにより損失する効率を０の位相の部分に集約することできるため、その効率の合計は２焦点のものより高効率となる。
第３の手段によれば、スムージングにより、加工が困難な設計上の理想形状を、加工が容易な実形状に近いものに変換でき、レンズ加工の際の加工性を向上させることができる。
第４の手段によれば、第１〜第３の手段にかかる回折型多焦点レンズの特徴を備えたコンタクトレンズ、眼内レンズ等の眼用レンズを得ることができる。以下、本発明をより詳しく説明する。
【００１３】
上述の通り、本発明の特徴は、回折位相構造を表す下記式１のφ（ξ）をｑ及びｐ１，ｐ２及びｗパラメーターで規定することで、位相構造を変化させることにより各回折次数の回折効率を制御することができる回折位相構造及びその回折位相構造による回折型多焦点レンズである。
なお、上記ｑは、直線φ（ξ）の基準面に対する平行移動量を規定する値であり、以下においては説明を簡単にするために「高さ又は深さ」という。また、上記ｐ１，ｐ２は、直線φ（ξ）の勾配を規定する値であり、以下においては説明を簡単にするために「傾き」という。
【数１】
2010134282.tif 000003
回折位相構造の式（１）の０≦ξ＜ｗ、並びに、１−ｗ≦ξ≦１の傾きはｐ１、ｗ≦ξ＜−１−ｗの傾きはｐ２、ｑは深さを表し、ｗは、φ（ξ）の式の形態が変わる位置を規定する値である。
【００１４】
また、上記式（１）の高さ又は深さｑを小さくすれば３つの次数−１次、０次、＋１次を持つ回折構造が得られ、その高さ又は深さｑが０＜|ｑ|≦１の範囲の場合に３つの次数−１次、０次、＋１次を持つ回折構造が得られる。これにより損失する効率を０次の位相の部分に集約することできるため、その効率の合計は２焦点のものより高効率となる。
【００１５】
スムージングは、以下の理由により行うものである。すなわち、上記回折位相構造は、設計上の理想的な位相変換面である典型的な回折構造であるノコギリ歯状のｂｌａｚｅｄ
ｇｒｏｏｖｅ型や矩形波型のｂｉｎａｒｙ型の回折構造であり鋭いエッジ形状を持つた
め、その形状を加工するのは困難である。それゆえ、設計上の理想形状より実形状に近いものに変換する必要があり、また、レンズ加工の際に加工性を上げるために、スムージングを行う必要がある。
【００１６】
スムージングには、正弦関数、余弦関数、スプライン関数、多項式等による曲線近似や、Ｂｕｔｔｅｒｆｌｙ ｆｉｌｔｅｒ、Ｂｕｔｔｅｒｗｏｒｔｈ ｆｉｌｔｅｒ、Ｋａｌｍａｎ ｆｉｌｔｅｒ等のＬｏｗ−ｐａｓｓ ｆｉｌｔｅｒによるもの、またガウシアン関数、スーパーガウシアン関数等による畳み込み積分を行なうものなどがある。畳み込み積分
を行なう分布や関数は所望の波形が得られる最適な分布や関数を用いることができるが、本発明では変数が少なく、また所望の波形が得られるガウシアン関数を用いるのが最適である。
【００１７】
以下に、このガウシアン関数を用いる場合について、下記ガウシアン回折光学構造の位相φＧ（ξ）として 式（２）で表される関係を有する例を用いて説明する。
【００１８】
【数２】
2010134282.tif 000004
上記式（２）のφＧ（ξ）は、ガウシアン回折光学構造であり、φ（ξ）はスムージング前のバイナリー位相回折光学素子に属する回折光学構造である。ｇ（ξ）は標準偏差σを持つガウシアン関数であり、ξは回折ゾーン内の０と１の間の分割位置を表し、そして
* は畳み込み積分を表す。上記式（２）におけるｇ（ξ）は以下の式（３）で表される
。
【数３】
2010134282.tif 000005
【００１９】
また、ガウシアンスムージング後の凹凸形状の凸部の頂点または、凹部の底辺を含む平面を基準面からの高さ又は深さとしての回折パターンzＧ（ξ）は、以下の式（４）によ
って簡易的に表現できる。
【００２０】
【数４】
2010134282.tif 000006
ここでｎＳとｎＯはそれぞれレンズ材質と媒質の屈折であり、λは設計波長である。
【００２１】
ここで、ガウシアン回折構造の透過関数ｔＡ（ξ）は文献Ｊ. Ｗ. Ｇｏｏｄｍａｎ，”Ｉｎｔｒｏｄｕｃｔｉｏｎ ｔｏ Ｆｏｕｒｉｅｒ Ｏｐｔｉｃｓ，”ＭｃＧｒａｗ−Ｈｉ
ｌｌ，Ｉｎｔ’ｌ. Ｅｄ，Ｓｉｎｇａｐｏｒｅ（１９９６）における光波伝播の複素振幅により計算でき、以下の式（５）で表される。
【００２２】
【数５】
2010134282.tif 000007
式（５）において、Ａ（ξ）は光の振幅であり、それはゾーン内で均一であり、この関数においてはｊは（ｊ２＝−１）である虚数単位となる。式（５）の透過関数ｔＡ（ξ
）は式（４）のｚＧ（ξ）の周期性によって、以下の式（６）の複素フーリエ級数として表わすことができる。
【００２３】
【数６】
2010134282.tif 000008
これより、フーリエ級数の係数ａｍは以下の式（７）のように計算される。
【００２４】
【数７】
2010134282.tif 000009
上記の式（７）により、ガウシアン回折光学構造のｍ次における回折効率ηｍは次式により得られる。
【００２５】
【数８】
2010134282.tif 000010
従って、ガウシアン回折光学構造はガウシアン関数の標準偏差σの数値とφ（ξ）の適切なパラメーターを選ぶことにより設計される。
【００２６】
一般的に最適化されたガウシアン回折光学構造の設計は、文献Ｊ.Ｃ.Ｌａｇａｒｉａｓ, Ｊ.Ａ.Ｒｅｅｄｓ, Ｍ. Ｈ. Ｗｒｉｇｈｔ, ａｎｄ Ｐ. Ｅ. Ｗｒｉｇｈｔ, ”Ｃｏｎ
ｖｅｒｇｅｎｃｅ Ｐｒｏｐｅｒｔｉｅｓ ｏｆ ｔｈｅ Ｎｅｌｄｅｒ−Ｍｅａｄ Ｓｉｍ
ｌｅｘ Ｍｅｔｈｏｄ ｉｎ Ｌｏｗ Ｄｉｍｅｎｓｉｏｎｓ，”ＳＩＡＭ Ｊｏｕｒｎａｌ ｏｆ Ｏｐｔｉｍｉｚａｔｉｏｎ, ９（１）, pp. １１２−１４７（１９９８）のような
特定の数学的最適化手法により数学的に行なわれる。数学的最適化を実現する為には、所望の回折効率に基づく、適したメリット関数で制約される。たくさんのメリット関数の定義が可能であるが、その一例として米国ＺＥＭＡＸ Ｄｅｖｅｌｏｐｍｅｎｔ Ｃｏｒｐｏｒａｔｉｏｎ社製 光学システムデザインソフト ＺＥＭＡＸ（登録商標）における例では、最適化には次式を用い行なう。
【００２７】
【数９】
2010134282.tif 000011
ここで、ηｍはｍ次における現時点の回折効率であり、ηＴｍはｍ次における目的とする値の回折効率であり、Ｗｍはｍ次における回折効率の重みづけであり、優先する次数の効率を目的効率に近づけるために他の次数よりＷｍを大きくすることにより重みをつける。効率の合計は目的とする効率で全てのｍ次の次数を正規化する。特定の最適化手法はｐ１、ｐ２、ｑ、ｗ、σとσの最適な値を選択することによりＭＦの値を最小化しようとすることで行なう。
【００２８】
上記ガウシアン関数で畳み込み積分を行なうことでスムージングを行なう場合の説明を行なったが、スムージング処理を行なわずに直接フーリエ変換を行なうことにより所望の回折光学構造を得ることもできるが、上記の方法で、ガウシアン関数を用いることにより、ｐ１、ｐ２、ｑ、ｗ、σの５個の変数で表現ができることによる設計の自由度をあげる
ことが出来、また最適化のための計算が非常に簡単になり容易に旋盤加工、キャストモールディング加工等の加工に適したスムージングが行なえることが判った。
また、計算の効率を上げるために、ｐ１、ｐ２、ｑ、ｗ、σの各パラメーターの内、幾つかのパラメーターを固定（定数）としパラメーターの数を減らし最適化することにより、各次数の目的とする効率を維持したまま、計算効率を上げることも可能である。
【００２９】
また、そのスムージング処理によりφ（ξ）の鋭いエッジが無くなることにより、そのエッジにより起こる光の散乱が減りグレアの低減及びコントラスト感度の向上が期待できる。また、多焦点レンズがコンタクトレンズの場合、エッジによる装用感の低下の防止、涙液の脂質成分等の回折部への堆積防止などにも効果が期待できる。
【００３０】
ここで、−１次と＋１次の回折次数の効率を完全に同等に分割する最も簡単な回折位相構造であるφ（ξ）は次式で表すことができる。
【数１０】
2010134282.tif 000012
【００３１】
この式（１０）と式（１）〜（９）により、設計波長λ＝５４６．０７４ｎｍ、屈折率ｎＳ＝１．５におけるさまざまな標準偏差σによる効率を求めて表１に示し、また、ガウシアン回折構造の深さzＧ（ξ）を表すグラフを図１に示した。
【表１】
2010134282.tif 000013
【００３２】
標準偏差σの値が増加するにつれて矩形波はスムージングされ、加工に適した滑らかな曲線となるが、反面効率（η−１＝η＋１）は減少する傾向が見られる。しかし、σ＝０．０６においても、上記回折位相構造によるガウシアン回折構造はまだ非常に高効率（η−１＝η＋１≧０．３８２）を実現できることが示される。
【発明を実施するための最良の形態】
【００３３】
図２は本発明の実施の形態にかかる回折型多焦点レンズの断面図、図３は図２に示される回折型多焦点レンズに形成されている回折パターンの表面凹凸形状を示す図、図４は図３に示される回折パターン１１の具体的形状寸法を示す図である。
【００３４】
図２に示される回折型多焦点レンズ１０は、屈折型レンズ構造と回折型構造とを組み合
わせたものであり、物体側面１１に回折構造が形成され、像側面１２は通常の屈折面とされている。そして、物体側面１１から入射した平行光Ｌ０を、光軸Ｏ上の２点、ｆ１（＋１次），ｆ２（−１次）に焦点を結ばせるもので、いわゆるバイフォーカル（２焦点）レンズである。
図３において、回折構造は、物体側表面に回折面が形成され、像側面は平面に形成されているものである。そして、物体側から入射した平行光Ｌ０を、−１次、＋１次の２つの次数に分散させる。この回折構造に屈折型レンズ構造を組み合わせることによって、図２に示される２焦点レンズを構成しているものである。ここで、回折面１１の回折パターンは、半径方向に繰り返し設けられた環状の凹凸形状であり、その周期が外周側に向かうに従って小さくなる構成となる。光を２つ以上の回折次数に分割して、複数の焦点距離を得られるようにしたものである。
【００３５】
図４は、回折パターン１１の具体的形状寸法を示すものであり、図の横軸が、光軸Ｏを０とした半径方向においてレンズ外周側に向かう距離でありレンズ中心からの距離である。また、図の縦軸が、凹凸形状の凸部の頂点を含む平面を基準面として、その基準面から像側に彫り込まれた深さ（以下Surface sagという）であり、換言すると、レンズの厚さ
方向の距離である。また、図５、図６は、回折パターン１１のなかの１組の凹凸形状からなる単位パターンについて、この部分を通過する光の位相関係を表す回折位相構造を示す図である。ここで、図５はスムージングなしの回折位相構造であり、図６はガウシアン関数によるスムージングを取り入れた回折位相構造である。
図５、６の位相パターンはｑ＜０の場合で検討を行なうと位相構造は縦軸の位相（ラジアン）の０より上方向に位相構造をとり、ｑ＞０の場合は０より下向に位相構造をとるが効率等の結果は同じである。また、以下の実施例１，２はｑ＞０の場合で検討を行なった。
【００３６】
図６の回折パターンは、式（４）のｚＧにより計算され、スムージング処理されたガウシアン回折光学構造φＧ（ξ）は、目標とする効率ηＴｍと各次数の回折効率の加重Ｗｍ、ガウシアン関数の標準偏差σを決定し、式（９）で最適化を行なうことで各パラメーターｐ１、ｐ２、ｑ、ｗ、を選択することより決定できる。スムージング無しの回折位相構造は、式（１）の回折位相構造φ（ξ）だけを最適化することにより各パラメーターｐ１、ｐ２、ｑ、ｗ、を選択し決定できるが、図５のスムージング無しの回折位相構造は、ガウシアン関数の標準偏差σをσ＝０とすることで、式（３）のガウシアン関数ｇ（ξ）によるスムージング効果を無くすことにより、スムージング無しの回折構造とした。
【００３７】
また、図５の最適化された回折位相パターンをガウシアン関数等でスムージングすることも可能であるがここではそうしなかった。それは、目標とする効率に対して最も近い効率が得られるように最適化され、選択された各パラメーターｐ１、ｐ２、ｑ、ｗによる位相構造が、そのスムージングにより最適化による位相構造と異なることになり、目標とする効率に対して最も近い効率とならないためである。スムージング処理を行なう場合は式（１）の回折位相構造φ（ξ）と式（３）のガウシアン関数ｇ（ξ）を畳込み積分を行う式（２）のガウシアン回折光学構造φＧ（ξ）を基本式にして、式（９）のＭＦの値を最小化することにより最適化を行なうことが好ましい。
【００３８】
＜二重焦点レンズの例＞
（実施例１）
実施例１にかかる回折型多焦点レンズは、遠用度数＋２０．０Ｄ、加入度数＋３．０Ｄのバイフォーカルレンズである。この回折型多焦点レンズは、屈折度数が＋２１．５Ｄの屈折型レンズ構造と、以下の回折型レンズ構造とを組み合わせたものである。すなわち、−１次の屈折度数が−１．５Ｄであり、＋１次の屈折度数が＋１．５Ｄであって−１次と＋１次とが同じ回折効果を持つ回折型レンズ構造である。材質はＰＭＭＡであり、設計波
長＝５４６．０７４ｎｍとしたとき、屈折率ｎＳは、ｎＳ ＝ １．４９３である。また、
媒質としての房水の屈折率ｎＯは、ｎＯ＝１．３３６であり、前面は、この前面に回折
構造を持つ曲率半径７．３０ｍｍの球面、後面は平面とした。また、レンズ直径は、６．０ｍｍ、レンズエッジ厚は、１．０ｍｍ、中心厚は、１．６４ｍｍであって、平凸構造のレンズであった。この回折位相構造はｐ１＝ｐ２＝ｐ、ｑ、ｗ＝０．２５の式（１１）で表現することができる。
【数１１】
2010134282.tif 000014
【００３９】
上記回折構造は、次のようにして設計・評価したものである。すなわち、式（１）の代わりに回折位相構造として式（１１）を用いて、式（９）で最適化を行い、ｐとｑの２つのパラメーターを選択することにより設計を決定し、設計した光学性能を評価した。この場合、最適化の為の加重ＷｍをＷ−１＝Ｗ０＝Ｗ＋１＝１とし、ガウシアン関数の標準偏差σ＝０．０５とし、ガウシアン関数によるスムージング無しのσ＝０で目標の効率をηＴ−１＝０．５００、ηＴ０＝０．０００、ηＴ＋１＝０．５００とした。その結果を表２−１、表２−２に示した。
【表２−１】
2010134282.tif 000015
【００４０】
ガウシアンスムージングの場合、０次に効率が生じるが非常に小さな値であり焦点として結像しても見えない程度と考えられる。上記結果よりスムージング無しの場合がスムージング有りより効率は高いがガウシアンスムージングの有無による−１次と＋１次の効率の合計の差は０．０３２と小さく、ガウシアンスムージングによる効率の低下は僅かであることが判る。
【００４１】
また、スムージング無しの場合と、ガウシアンスムージングを行なった場合との回折構造の実際の効率ηｍにおける各次数の値を全部合計した値が１になる比率で各次数の実際の値ηｍを換算すると各次数の効率は下記の表２−２となる。
【表２−２】
2010134282.tif 000016
上記結果より目標とする効率の合計に比べスムージング無しの場合も、ガウシアンスムージングありの場合のいずれとも実際の効率の合計は低い値となったが、スムージング無しの場合と、ガウシアンスムージングありの場合とで、実際の効率の合計での比率で考えると−１次と＋１次の実際の効率は同等の値であり、設計どおりの結果であることが判った。
また、−１次と＋１次の回折次数に分割されることによる２重焦点の加入度数は一般的な回折構造の半分となり、色収差が減少される効果も望める。
【００４２】
次に加入度数として−１次に度数−Ｐ（Ｄ）を持ち、＋１次に度数＋Ｐ（Ｄ）を持つバイフォーカルレンズとして検討するために、度数Ｐの回転対称レンズの位相関数ψ（ｒ）は解析的に次式（１２）で表すことができる。
【数１２】
2010134282.tif 000017
【００４３】
ここで、ｆ＝１／Ｐはレンズの焦点距離であり、ｒはレンズ中心からの半径距離である。
また、焦点距離が半径距離より非常に大きい場合（ｒ／ｆ＜＜１）は、位相関数ψ（ｒ）は次式（１３）のように近似的に表すことができる。
【数１３】
2010134282.tif 000018
【００４４】
この位相関数ψ（ｒ）を、１周期である２πの位相差の整数倍毎に各周期の基準面を形成し、各周期の基準面を式（４）の回折パターンｚＧ（ξ）で置き換えることにより、ガウシアン回折構造の表面凹凸形状（Surface sag）を求めることができる。
ここで、Ｐ＝１．５（Ｄ）とし、ｆ＝６６６．７ｍｍとして、加入度数３．０（Ｄ）のバイフォーカルレンズの場合について、ガウシアン回折構造の表面凹凸形状（Surface sag）を以下のようにして求めた。すなわち、ガウシアン回折構造zＧ（ξ）のプロットとして、米国Ｔｈｅ Ｍａｔｈ Ｗｏｒｋｓ社製プログラミングソフトウェアＭＡＴＬＡＢ の
境界条件を考慮したｔｈｅ ｍｏｄｉｆｉｅｄ ｆｍｉｎｓｅａｒｃｈ関数（Ｔｈｅ Ｍａ
ｔｈ Ｗｏｒｋｓ社ホームページで公開）を用いて式（４）（１２）で計算を行なった。
こうして求めた１周期のスムージング無しの場合（破線）と、ガウシアンスムージングを行なった場合（実線）とのそれぞれの回折位相構造を図７に示した。また、ガウシアン回折構造の具体的凹凸形状及び寸法（Surface sag）を図４に示した。
【００４５】
（実施例２−１）
実施例２−１は、実施例１と同様に遠用度数＋２０．０Ｄ、加入度数＋３．０Ｄのバイフォーカルレンズとして本願発明を用いて構成する例である。実施例１と異なるのは、以下の点である。まず、回折型レンズ構造として、式（１）を用いることにより、異なる回折効果を持つ２つの次数−１次と＋１次のガウシアン回折構造を用いた。屈折型レンズ構造としては、屈折度数が＋２１．５Ｄの凸レンズ構造とした。この回折構造は、最適化の為の加重ＷｍをＷ−１＝Ｗ０＝Ｗ＋１＝１ として、ガウシアン関数の標準偏差σ＝０．
０５とし、ガウシアン関数によるスムージング無しのσ＝０の条件で目標とする効率ηＴｍをηＴ−１＝０．５５０、ηＴ０＝０．０００、ηＴ＋１＝０．４５０として、ｐ１、ｐ２、ｑ、ｗの４つのパラメーターを選択することにより設計を決定し設計試作を行い、設計した光学性能を評価した。その結果を表３−１−１、表３−１−２に示し、１周期のスムージング無しの場合（破線）と、ガウシアンスムージング（実線）を行なった回折位相構造とを図８に示し、ガウシアン回折構造の具体的表面凹凸形状及び寸法（Surface sag）を図９に示した。
【表３−１−１】
2010134282.tif 000019
スムージング無しの各次数の効率はガウシアンスムージングの各次数の効率より高い結果が得られたが、ガウシアンスムージングの有無による−１次と＋１次の効率の合計の差は０．０３４と小さく、ガウシアンスムージングによる効率の低下は僅かであることが判る。
【００４６】
また、スムージング無しとガウシアンスムージングを行なった回折構造の実際の効率ηｍにおける各次数の値を全部合計した値が１になる比率で各次数の実際の値ηｍを換算すると、各次数の効率は表３−１−２となる。  
【表３−１−２】
2010134282.tif 000020
上記結果よりスムージング無しと、ガウシアンスムージングありとのいずれの場合とも＋１次の効率が若干目標効率に対して低い値とはなったが、スムージング無しの場合と、ガウシアンスムージングの場合との実際の効率の合計での比率で考えると−１次と＋１次の実際の効率は目標の値に近いものであり、各次数の効率を制御できることが判った。
実施例１の図７、図４と比較して図８、図９はｐ１、ｐ２の傾きが加わることにより、各次数の効率が変化することが判る。
【００４７】
（実施例２−２）
実施例２−２は、実施例１、実施例２−１と同様に遠用度数＋２０．０Ｄ、加入度数＋３．０Ｄのバイフォーカルレンズとして本願発明を用いて構成する例であるが、異なる回折効果を持つ２つの次数−１次と＋１次のガウシアン回折構造と、屈折度数が＋２１．５Ｄの屈折型レンズ構造とを組み合わせたバイフォーカルレンズである。回折構造に式（１１）を用い、実施例２−１と同様の条件で目標とする効率ηＴｍをηＴ−１＝０．５５０、ηＴ０＝０．０００、ηＴ＋１＝０．４５０として、ｐとｑの２つのパラメーターを選択することにより設計試作を行い、設計した光学性能を評価した。その結果を表３−２−１、表３−２−２に示し、１周期のスムージング無し（破線）とガウシアンスムージング（実線）を行なった回折位相構造を図１０に示し、ガウシアン回折構造の具体的表面凹凸形状及び寸法（Surface sag）を図１１に示した。
【表３−２−１】
2010134282.tif 000021
【表３−２−２】
2010134282.tif 000022
表３−２−１、表３−２−２、図１０、図１１の結果より、実施例２−２も実施例２−１と同様にガウシアンスムージングによる効率の低下は僅かであり、スムージング無しの場合と、ガウシアンスムージングの場合も＋１次の効率が若干目標効率に対して低い値とはなったが、−１次と＋１次の実際の効率は目標の値に近いものであり、各次数の効率を制御できることが判った。
また、選択できるパラメーターの数は実施例２−１の４つ、実施例２−２の２つであったがガウシアンスムージング、スムージング無しとも得られる効率はほぼ同じであり、目標とする効率に対して最適化することにより、選択できるパラメーターの数が減っても得られる効率は維持できることが判る。
【００４８】
＜三重焦点レンズの例＞
ところで、式（１）の高さまたは深さ方向の位相シフトを低くすれば３つの次数−１次、０次、＋１次を持つ回折構造が得られ、その高さまたは深さｑが０＜|ｑ|≦１の範囲の場合に３つの次数を持つ回折構造が得られる。その場合の回折型レンズ構造の断面構成を図１２に示し、図１２に示された回折型レンズ構造と凸レンズ形状をなした屈折型レンズ構造とを組み合わせた三重焦点の回折型多焦点レンズの断面図を図１３に示した。図１２のように、回折構造のパラメーターｑを上記範囲とした場合、平行光線は−１次、０次、
＋１次の３つの回折次数に分割され、これに屈折型レンズ構造を組み合わせることにより図１３のように３つの焦点を結像させることができる。図１３は屈折効果と回折効果とを合成して３焦点レンズを構成した回折型多焦点レンズの構成を示す図である。図１３において、この回折型多焦点レンズ２０は、基本的に凸レンズを構成する物体側曲面２１に本願発明にかかる回折位相構造を有する回折パターンを形成し、像側面２２は、通常の凸レンズの曲面としたもので、これにより、物体側から入射した平行光Ｌを、光軸Ｏ上の３点、ｆ１（＋１次），ｆ２（０次），ｆ３（−１次）に焦点を結ばせるようにしたものである。
【００４９】
（実施例３−１）
実施例３−１として３重焦点の場合を以下に示す。遠用度数＋２０．０Ｄ、加入度数＋３．０Ｄ（中間用度数＋２１．５Ｄ）の３焦点レンズは、屈折度数が＋２１．５Ｄの屈折型レンズ構造と、−１次の屈折度数を−１．５Ｄ、０次の屈折度数０．０Ｄ、＋１次の屈折度数を＋１．５Ｄである回折構造とで構成される。ＰＭＭＡ製レンズ材質の屈折率ｎＳ
＝１．４９３、媒質としての房水の屈折率ｎＯ＝１．３３６、設計波長＝５４６．０７
４ｎｍで、前面に回折構造を持つ曲率半径７．３０ｍｍの球面、後面を平面としてレンズ直径６．０ｍｍ、レンズエッジ厚１．０ｍｍ、中心厚１．６４ｍｍの平凸構造のレンズを設計試作した。回折位相構造は式（１）を用い、最適化により選択されるパラメーターはｐ１、ｐ２、ｑ、ｗ,σの５つで、最適化の為の加重ＷｍをＷ−１＝Ｗ０＝Ｗ＋１＝１と
し、目標の効率をηＴ−１＝０．４５０、ηＴ０＝０．２００、ηＴ＋１＝０．３５０の条件で、式（９）で最適化を行い、各パラメーターを選択することにより回折構造を決定し設計を行い、光学性能を評価した。その結果を表４−１−１に示し、１周期のスムージング無しの場合（破線）とガウシアンスムージングの場合（実線）との回折位相構造を図１４に示し、ガウシアン回折構造の具体的表面凹凸形状及び寸法（Surface sag）を図１
５に示した。
【表４−１−１】
2010134282.tif 000023
上記結果より実施例１、実施例２−１、２−２と実際に得られる効率の合計を比較すると、０次の効率を利用できることより、スムージング無しとスムージング有りとも効率の合計が大きくなることが判る。またガウシアンスムージングの有無による３つの次数の効率の合計の差はガウシアンスムージングの方が効率の合計が高く、これは実施例２−１、２−２にも見られるようにガウシアンスムージングによるスムージング無し位相構造のエッジの部分がスムージングされることにより０次の効率も発生するため、ガウシアンスムージングは効率利用率が高くなるためである。
【００５０】
また、スムージング無しとガウシアンスムージングを行なった回折構造の実際の効率ηｍにおける各次数の値を全部合計した値が１になる比率で各次数の実際の値ηｍを換算すると、各次数の効率は表４−１−２となる。
【表４−１−２】
2010134282.tif 000024
上記結果より実施例１、実施例２−１、２−２と同様に実際に得られる効率の合計は目標の効率の合計より低い値となるが、実際に得られる効率の合計より比率を考慮すると、各次数ともほぼ設計どおりの値が得られていることが理解できる。
図１４、図１５と実施例１、実施例２の１周期のスムージング無し（実線）とガウシアンスムージング（破線）を行なった回折位相構造、ガウシアン回折構造の表面凹凸形状（Surface sag）を比較すると、実施例３−１では深さｑを浅くすることにより異なる３つ
の次数に分散させ３焦点を結像させることが判る。また本実施例においてｑは０＜ｑ≦１で検討を行なっているが、０＞ｑ≧−１の範囲で同様に検討を行なうと位相構造は位相（πラジアン）、Surface sag（μｍ）の０より上方向に位相構造をとるが、効率等の結果
は同じである。
また深さｑを小さくすることによりSurface sagが浅くなり、スムージングの効果がよ
り顕著に現れ、加工性の向上、レンズ表面への堆積物等の抑制の効果が期待できる。
【００５１】
（実施例３−２）
実施例３−２も三重焦点の例である。回折構造をｐ１＝ｐ２＝ｐ、ｗ＝０．２５の式（１１）を用いた以外は、条件は実施例３−１の同様にして、目標の効率をηＴ−１＝０．４５０、ηＴ０＝０．２００、ηＴ＋１＝０．３５０で、式（９）において最適化を行い、ｐとｑの２つのパラメーターを決定することにより設計を行い、設計した光学性能を評価した。その結果を表４−２−１、表４−２−２に示し、１周期のスムージング無し（破線）とガウシアンスムージング（実線）を行なった回折位相構造を図１６、ガウシアン回折構造の表面凹凸形状（Surface sag）を図１７に具体的形状寸法を示した。
【表４−２−１】
2010134282.tif 000025
【表４−２−２】
2010134282.tif 000026
表４−２−１、表４−２−２、図１６、図１７の結果より、実施例３−２も実施例３−１と同様の結果が得られることが判った。
また、選択できるパラメーターの数は実施例３−１の５つ、実施例３−２の２つであったがガウシアンスムージング、スムージング無しとも得られる効率はほぼ同じであり、目標とする効率に対して最適化することにより、選択できるパラメーターの数が減っても得られる効率は維持できることが判る。
【００５２】
＜パラメーターの数による計算効率＞
パラメーターの数による計算効率を比較する為にパーソナルコンピュータを用い実施例３−２と実施例３−１の計算開始から終了までの所要時間を計測することにより比較し、結果を表５に示した。使用したパーソナルコンピュータは 米国Ｉｎｔｅｌ社製ＣＰＵ Ｉｎｔｅｌ Ｐｅｎｔｉｕｍ（登録商標）Ｄ８３０（ＬＧＡ ７７５ ＦＳＢ ８００ ＭＨｚ 実クロック ３．０ ＧＨｚ キャッシュ 各コア １ ＭＢ デュアルコア ＣＰＵ）、メモリー ２ ＧＢを搭載した市販のパーソナルコンピュータを用いた。
【表５】
2010134282.tif 000027
上記結果よりパラメーターの数により計算効率は大幅に異なることが理解でき、実施例２−１、実施例２−２、実施例３−１、実施例３−２の比較に見られるように、目的とする効率に対して最適化することより得られる効率を低下すること無く、パラメーターの数が少なくすることにより短時間で最適化を行なうことが出来る。
【００５３】
＜試作品による評価＞
次に、上記実施例１、実施例２−２及び実施例３−２の各実施例にかかる回折型多焦点レンズを実際に製作して解像度評価等を行ったので、以下にそれぞれ、試作品１、試作品２−２、試作品３−２として説明する。
【００５４】
（ＩＳＯ模型眼による解像度評価結果）
試作により得られた各試作品１、試作品２−２、試作品３−２について、独トライオプティクス社製ＩＯＬ定数測定装置 Ｏｐｔｉｓｐｈｅｒｉｃ ＩＯＬに蒸留水を入れ、アパチャーを３．０ｍｍに設定したＴｒｉｏｐｔｉｃｓ社製ＩＳＯ模型眼（ＩＳＯ １１９７
９−２ Ａｎｎｅｘ Ｃ，Ｍｅａｓｕｒｅｍｅｎｔ ｏｆ ＭＴＦ, Ｍｏｄｅｌ ｅｙｅに準
拠）を通して、ベストフォーカスをＭＴＦ値（変調伝達関数（Ｍｏｄｕｌｕｓ ｏｆ ｔｈｅ Ｏｐｔｉｃａl Ｔｒａｎｓｆｅｒ Ｆｕｎｃｔｉｏｎ ））５０ｃ/ｍｍの最大コントラスト値の条件下でオートフォーカスにより焦点が結像する距離における解像度を評価するために背景が黒、テストパターンが透明のネガタイプの１９５１ ＵＳＡＦ テストパター
ンチャート（ＭＩＬ−ＳＴＤ−１５０Ａ，Ｓｅｃｔｉｏｎ ５.１.１.７, Ｒｅｓｏｌｖｉｎｇ Ｐｏｗｅｒ Ｔａｒｇｅｔに準拠）の像を撮影することで解像度の評価を行なった。
【００５５】
図１８は試作品１の多焦点レンズをＩＳＯ模型眼で１９５１ ＵＳＡＦ テストパターンチャートを撮影した結果を示す図、図１９は試作品２−２の多焦点レンズの撮影結果を示す図、図２０は試作品３−２の多焦点レンズの撮影結果を示す図である
【００５６】
上記図１８、図１９に見られるように、試作品１、試作品２−２は、上述の実施例１及び実施例２−２の説明の項で述べた結果と同様に、遠用と近用の効率の変化が１９５１ 
ＵＳＡＦ テストパターンチャートのチャートでも確認できた。また、図２０の試作品３
−２では、実施例３−２の説明の項で述べた結果と同様に、遠用、近用の効率をあまり低下させず、中間用度数の焦点が結像することが確認できた。また、試作品１、試作品２−２でも中間用度数がオートフォーカスにより焦点が結像するか確認を行なったが、その遠用と近用の間ではオートフォーカスによる結像が確認できる焦点は無かった。
【００５７】
（Surface sagの確認）
試作品１、試作品２−２、試作品３−２のSurface sagの測定をパナソニック ファクトリーソリューションズ株式会社製超高精度三次元測定機 ＵＡ３Ｐ で縦軸に試作品の屈折構造の曲面を平坦にした基準面に対する測定面の高低の距離 Ｚｄ−ＡＸＩＳ（μｍ）、
横軸にレンズ中心からの距離 Ｒ−ＡＸＩＳ（ｍｍ）としてSurface sagを測定した。そのチャートを図２１−１、図２２−１、図２３−１に示し、それに対応する設計値からのガウシアン回折構造の表面凹凸形状（Surface sag）である図４、図１１及び図１７に示さ
れる凹凸形状に、Surface sagの測定のチャートが平坦になるように補正を行った各測定
点の数値を図２１−２、図２２−２、図２３−２にプロットし比較した。
比較の結果、設計値による実線と測定値の破線のプロットはほぼ重なり、各試作品１、試作品２−２、試作品３−２とも設計値に近い位相構造であることが判り、スムージングによる加工性の良さを確認できた。
【００５８】
（度数の測定（眼内度数換算））
次に各試作品１、試作品２−２、試作品３−２の度数を独トライオプティクス社製ＩＯＬ定数測定装置Ｏｐｔｉｓｐｈｅｒｉｃ ＩＯＬで水中浸漬状態、空間周波数 ＭＴＦ５０ｃ/ｍｍにおけるベストフォーカスでの有効焦点距離測定値の焦点距離より眼内レンズの
眼内度数に変換し求めた。その結果を表６に示した。表６の設計値は眼内での度数を想定したものであり、測定値は水中浸漬のためｎ＝１．３３３の値であり、眼内での度数に換算するために媒質として房水の屈折率ｎＯ＝１．３３６、空間周波数ＭＴＦ５０ｃ/ｍｍ
、瞳孔径Φ＝３．０ｍｍの条件でＩＳＯ１１９７９−２ Ａｎｎｅｘ Ａ, Ｍｅａｓｕｒｅｍｅｎｔ ｏｆ Ｄｉｏｐｔｒｉｃ Ｐｏｗｅｒ準拠し換算した。
【表６】
2010134282.tif 000028
加入度数は回折構造により生じることより媒質の屈折率の変化はその度数には影響は無く、表６から明らかなように、各試作品１、試作品２−２、試作品３−２の度数の測定値
は設計値に対し大きなズレは見られなかった。
【００５９】
（変調伝達関数 Ｍｏｄｕｌｕｓ ｏｆ ｔｈｅ Ｏｐｔｉｃａl Ｔｒａｎｓｆｅｒ Ｆｕｎ
ｃｔｉｏｎ（ＭＴＦ） とデフォーカス特性 Ｔｈｒｏｕｇｈ Ｆｏｃｕｓ Ｒｅｓｐｏｎｓｅ（ＴＦＲ）の測定）
ＭＴＦ曲線は、横軸に空間周波数をとり、縦軸にコントラスト特性とってグラフに表したものであり、コントラスト特性は、特定の空間周波数を持った白黒等間隔のテストパターンを用いる。ＴＦＲチャートは、横軸に像面デフォーカス量（Ｄ）をとり、縦軸にＭＴＦ値をとって、グラフ上にＴＦＲ曲線として描いたものである。像面デフォーカス量は、−１次の焦点が結像する距離である基準像面から測定像面までの距離を前後に移動させ、その像面デフォーカス量でのＭＦＴをプロットしたものであり、ＩＳＯ−１１９７９−９に準拠して測定した。
試作品１、試作品２−２、試作品３−２の解像力特性の評価として結像特性を評価するために、独トライオプティクス社製ＩＯＬ定数測定装置 Ｏｐｔｉｓｐｈｅｒｉｃ ＩＯＬで、変調伝達関数（Ｍｏｄｕｌｕｓ ｏｆ ｔｈｅ Ｏｐｔｉｃａl Ｔｒａｎｓｆｅｒ Ｆｕｎｃｔｉｏｎ（ＭＴＦ）とデフォーカス特性Ｔｈｒｏｕｇｈ Ｆｏｃｕｓ Ｒｅｓｐｏｎｓｅ（ＴＦＲ）を、水中浸漬状態における空間周波数 ＭＴＦ ５０ｃ/ｍｍにおけるベスト
フォーカスで測定した。その測定の結果を、図２４−１〜図２４−３、図２５−１〜図２５−３、図２６−１〜図２６−４に示す。図２４−１は試作品１のＭＴＦ（遠用）を示す図であり、図２４−２は試作品１のＭＴＦ（近用）を示す図であり、図２４−３は試作品１のＴＦＲを示す図である。また、図２５−１は試作品２−２のＭＴＦ（遠用）を示す図であり、図２５−２は試作品２−２のＭＴＦ（近用）を示す図であり、図２５−３は試作品２−２のＴＦＲを示す図である。さらに、図２６−１は試作品３−２のＭＴＦ（遠用）を示す図であり、図２６−２は試作品３−２のＭＴＦ（近用）を示す図であり、図２６−３は試作品３−２のＭＴＦ（中間）を示す図であり、図２６−４は試作品３−２のＴＦＲを示す図である。
【００６０】
試作品１と試作品２−２とのＭＴＦとＴＦＲでは、ＭＴＦの遠用と近用の値が逆転し、またＴＦＲの−１次と＋１次におけるピークの高さが逆転していることが判った。このことより上述した実施例の効率、及びＩＳＯ模型眼による測定結果の結果と同様に遠用、近用の効率の制御が可能であることが理解できた。また、試作品１及び試作品２−２と、試作品３−２とのＭＴＦとＴＦＲを比較すると、遠用、近用のＭＴＦの値はあまり減少せず、またＴＦＲは遠用、近用のピークの間の中間のピークが見られ、３焦点の多焦点レンズが得られることが判った。このことより、上述した実施例の効率、及びＩＳＯ模型眼による測定結果の結果と同様に遠用、近用の効率の制御が可能であることが判った。
【００６１】
（実施例４）
実施例４にかかる回折型多焦点レンズは、眼内レンズを本発明にかかる回折型多焦点レンズで構成した例である。以下、説明する。
ｎ−ブチルアクリレート（ｎ−ＢＡ:構造式１参照）４２ｇ、フェニルエチルメタクリ
レート（ＰＥＭＡ:構造式２参照）５２ｇ、パーフロロオクチルエチルオキシプロピレン
メタクリレート（ＨＲＭ−５１３１ＨＰ：構造式３参照）８ｇ、エチレングリコールジメタクリレート（ＥＤＭＡ）５ｇおよびＡＩＢＮ ０．３３ｇの混合物に、これらのレンズ
用モノマー全量に対して紫外線吸収剤Ｔ−１５０（構造式４参照）を１．５重量％、反応性黄色染料ＨＭＰＯ−Ｂ（構造式５参照）を０．０２重量％加えて窒素ガスを通しながら十分に撹拌し、得られた重合性材料をＰＭＭＡ製支持部リングの中に入れて、室温から６０℃まで３０分間で加熱し、６０℃で１２時間保持し、６０℃から９０℃まで１５分間加熱し、９０℃で３時間保持し、９０℃から１００℃まで１５分間で加熱し、１００℃で１２時間保持後、室温まで自然放冷する重合プログラムで熱重合した。得られた重合物を理研製鋼株式会社製 金型旋盤 ＵＰＬ−２４０Ｈにより切削加工した。こうして得た実施例
４のレンズは、レンズ前面を球面とし、レンズ後面を球面とガウシアン回折構造とを組み合わせた構造にした回折型多焦点眼内レンズである。得られた多焦点眼内レンズは 屈折
率 １．５１６であり、効率は 遠用 ４５％、中間 １７％、近用 ２６％であり、度数 ＋２０．０Ｄ、加入度数＋３．５Ｄであった。なお、図２７は実施例４にかかる回折型多焦点レンズの回折パターンの回折位相構造を示す図である。
【化１】
2010134282.tif 000029
【化２】
2010134282.tif 000030
【化３】
2010134282.tif 000031
【化４】
2010134282.tif 000032
【化５】
2010134282.tif 000033
【００６２】
（実施例４のレンズと市販レンズとのグレア・ハローの比較）
図２８の回折パターンの回折位相構造持つ比較例Ａ、図２９の回折パターンの回折位相構造持つ比較例Ｂの市販のレンズ２種類を比較例として、これらと実施例４とについてグレア及びハローの比較を行うために模型眼像シミュレーションを行なった。模型眼像シミュレーションはＨＯＹＡ製模型眼システム（構造：角膜球面レンズ、水槽、眼内レンズ治具、カラーＣＣＤカメラ）で行い、その結果を以下に説明する。実験用光源は２個用い、一個目の光源（グレア検証用の電球）を４ｍ、二個目の光源（ハロー検証用の点光源）を６ｍの位置に配置し、これらをＨＯＹＡ製模型眼システムに設置し、多焦点レンズの遠方の焦点を６ｍに合わせた。二個目の光源の明るさをハローパターンが出る条件で調節した。全ての検体でカメラのブライトネス及びシャッタースピードを一定にして撮影した。用いたＨＯＹＡ製模型眼システムの模型眼パラメーターを表７、模型眼像シミュレーションの結果を図３０（瞳孔径：Φ＝３．０ｍｍの場合）及び図３１（瞳孔径：Φ＝４．５ｍｍの場合）に示す。
【表７】
2010134282.tif 000034
【００６３】
比較例Ａ、比較例Ｂ及び実施例４のシミュレーション結果を検討する。各図の上部の光源がグレア検証用の電球であり、下の点光源はハロー検証用であり、ハロー検証用の点光源に関しては拡大図を添付した。グレアを比較すると従来型ブレーズド（Ｂｌａｚｅｄ）型回折構造の比較例Ａは非常に大きく、アポダイズ型回折構造の比較例Ｂは比較的小さい。実施例４のグレアをこれら回折型多焦点眼内レズと比べると、ガウシアン回折光学構造は従来型ブレーズド（Ｂｌａｚｅｄ）型回折構造よりはグレアは少なく、アポダイズ型回折構造は同等であることが確認された。ハローについてはどのレンズでも確認されなかった。
【００６４】
なお、以上の実施例は、物体側面に回折パターンを設け屈折型レンズと組み合わせた例を掲げたが、回折パターンは、像側面に設けてもよい。また、回折パターンを設ける面は平面とし、所望の光学性能を得るようにしてもよい。
【産業上の利用可能性】
【００６５】
本発明の多焦点レンズは光学素子として有用であり、特にその用途は限定されないが光学素子、眼科用の遠方及び近用視力補正用の眼用レンズ（眼鏡、コンタクトレンズ、眼内
レンズ等の移殖用レンズ）等に応用可能である。
【図面の簡単な説明】
【００６６】
【図１】ガウシアン回折構造zＧ（ξ）を表すグラフを示す図である。
【図２】本発明の実施の形態にかかる回折型多焦点レンズの断面図である。
【図３】図２に示される回折型多焦点レンズに形成されている回折パターンの表面凹凸形状を示す図である。
【図４】図３に示される回折パターン１１の具体的形状寸法を示す図である。
【図５】スムージングなしの単位回折パターンを通過する光の位相関係を表す回折位相構造を示す図である。
【図６】スムージングありの単位回折パターンを通過する光の位相関係を表す回折位相構造を示す図である。
【図７】実施例１にかかる回折型多焦点レンズの回折パターンにおいて１周期のスムージング無し（破線）の場合とガウシアンスムージング（実線）を行なった場合とのそれぞれの回折位相構造を示す図である。
【図８】実施例２−１にかかる回折型多焦点レンズの回折パターンにおいて１周期のスムージング無し（破線）の場合とガウシアンスムージング（実線）を行なった場合とのそれぞれの回折位相構造を示す図である。
【図９】実施例２−１にかかる回折型多焦点レンズの回折パターンにおけるガウシアン回折構造の具体的表面凹凸形状及び寸法（Surface sag）を示す図である。
【図１０】実施例２−２にかかる回折型多焦点レンズの回折パターンにおいて１周期のスムージング無し（破線）の場合とガウシアンスムージング（実線）を行なった場合とのそれぞれの回折位相構造を示す図である。
【図１１】実施例２−２にかかる回折型多焦点レンズの回折パターンにおけるガウシアン回折構造の具体的表面凹凸形状及び寸法（Surface sag）を示す図である。
【図１２】三重焦点の回折型多焦点レンズの回折型レンズ構造を示す図である。
【図１３】図１２に示された回折型レンズ構造と凸レンズ形状をなした屈折型レンズ構造とを組み合わせた三重焦点の回折型多焦点レンズの断面図を示す図である。
【図１４】実施例３−１にかかる回折型多焦点レンズの回折パターンにおいて１周期のスムージング無し（破線）の場合とガウシアンスムージング（実線）を行なった場合とのそれぞれの回折位相構造を示す図である。
【図１５】実施例３−１にかかる回折型多焦点レンズの回折パターンにおけるガウシアン回折構造の具体的表面凹凸形状及び寸法（Surface sag）を示す図である。
【図１６】実施例３−２にかかる回折型多焦点レンズの回折パターンにおいて１周期のスムージング無し（破線）の場合とガウシアンスムージング（実線）を行なった場合とのそれぞれの回折位相構造を示す図である。
【図１７】実施例３−２にかかる回折型多焦点レンズの回折パターンにおけるガウシアン回折構造の具体的表面凹凸形状及び寸法（Surface sag）を示す図である。
【図１８】試作品１の多焦点レンズをＩＳＯ模型眼で１９５１ ＵＳＡＦ テストパターンチャートを撮影した結果を示す図である。
【図１９】試作品２−２の多焦点レンズの撮影結果を示す図である。
【図２０】試作品３−２の多焦点レンズの撮影結果を示す図である。
【図２１−１】試作品１のSurface sagの測定したチャートを示す図である。
【図２１−２】試作品１のSurface sagの測定のチャートが平坦になるように補正を行った各測定点の数値をプロットして示す図である。
【図２２−１】試作品２−２のSurface sagの測定したチャートを示す図である。
【図２２−２】試作品２−２のSurface sagの測定のチャートが平坦になるように補正を行った各測定点の数値をプロットして示す図である。
【図２３−１】試作品３−２のSurface sagの測定したチャートを示す図である。
【図２３−２】試作品３−２のSurface sagの測定のチャートが平坦になるように補正を行った各測定点の数値をプロットして示す図である。
【図２４−１】試作品１のＭＴＦ（遠用）を示す図である。
【図２４−２】試作品１のＭＴＦ（近用）を示す図である。
【図２４−３】試作品１のＴＦＲを示す図である。
【図２５−１】試作品２−２のＭＴＦ（遠用）を示す図である。
【図２５−２】試作品２−２のＭＴＦ（近用）を示す図である。
【図２５−３】試作品２−２のＴＦＲを示す図である。
【図２６−１】試作品３−２のＭＴＦ（遠用）を示す図である。
【図２６−２】試作品３−２のＭＴＦ（近用）を示す図である。
【図２６−３】試作品３−２のＭＴＦ（中間）を示す図である。
【図２６−４】試作品３−２のＴＦＲを示す図である。
【図２７】実施例４にかかる回折型多焦点レンズの回折パターンの回折位相構造を示す図である。
【図２８】比較例Ａにかかる回折型多焦点レンズの回折パターンの回折位相構造を示す図である。
【図２９】比較例Ｂにかかる回折型多焦点レンズの回折パターンの回折位相構造を示す図である。
【図３０】比較例Ａ及び比較例Ｂと実施例４とについて模型眼像シミュレーションによりグレア及びハローの比較を行った結果を示す図である。
【図３１】比較例Ａ及び比較例Ｂと実施例４とについて模型眼像シミュレーションによりグレア及びハローの比較を行った結果を示す図である。
【符号の説明】
【００６７】
１０  回折型多焦点レンズ
１１  物体側面
１２  像側面
【図１】
2010134282.tif 000037
【図２】
2010134282.tif 000038
【図３】
2010134282.tif 000039
【図４】
2010134282.tif 000040
【図５】
2010134282.tif 000041
【図６】
2010134282.tif 000042
【図７】
2010134282.tif 000043
【図８】
2010134282.tif 000044
【図９】
2010134282.tif 000045
【図１０】
2010134282.tif 000046
【図１１】
2010134282.tif 000047
【図１２】
2010134282.tif 000048
【図１３】
2010134282.tif 000049
【図１４】
2010134282.tif 000050
【図１５】
2010134282.tif 000051
【図１６】
2010134282.tif 000052
【図１７】
2010134282.tif 000053
【図２１−２】
2010134282.tif 000054
【図２２−２】
2010134282.tif 000055
【図２３−２】
2010134282.tif 000056
【図２４−１】
2010134282.tif 000057
【図２４−２】
2010134282.tif 000058
【図２４−３】
2010134282.tif 000059
【図２５−１】
2010134282.tif 000060
【図２５−２】
2010134282.tif 000061
【図２５−３】
2010134282.tif 000062
【図２６−１】
2010134282.tif 000063
【図２６−２】
2010134282.tif 000064
【図２６−３】
2010134282.tif 000065
【図２６−４】
2010134282.tif 000066
【図２７】
2010134282.tif 000067
【図２８】
2010134282.tif 000068
【図２９】
2010134282.tif 000069
【図１８】
2010134282.tif 000070
【図１９】
2010134282.tif 000071
【図２０】
2010134282.tif 000072
【図２１−１】
2010134282.tif 000073
【図２２−１】
2010134282.tif 000074
【図２３−１】
2010134282.tif 000075
【図３０】
2010134282.tif 000076
【図３１】
2010134282.tif 000077